(57)【要約】【課題】  モップ洗浄システムを提供することを課題とする。【解決手段】  モップ洗浄システムであって、洗浄バケツと、モップと、を含み、前記モップは、モップ柄と、モップヘッドと、を含み、モップ柄がモップヘッドに連結され、洗浄バケツ内にモップを支持する支持体が設けられ、前記洗浄バケツ内にローラが配置され、ローラが自体の軸方向を回転軸として回転可能に設けられ；洗浄時、前記モップヘッドの回転によりローラを回転させる。【選択図】  図１
2020534889.tif 000002
【特許請求の範囲】
【請求項１】
洗浄バケツと、モップと、を含み、前記モップはモップ柄とモップヘッドとを備え、前記モップ柄が前記モップヘッドに連結され、前記洗浄バケツ内に前記モップを支持する支持体が設けられるモップ洗浄システムであって、前記洗浄バケツ内にローラが配置され、前記ローラが自体の軸方向を回転軸として回転可能に設けられ；洗浄時、前記モップヘッドの回転により前記ローラを回転させることを特徴とする、モップ洗浄システム。
【請求項２】
ローラ取付用ブラケットをさらに含み、前記ローラ取付用ブラケットは前記支持体および／または前記洗浄バケツに設けられ、前記ローラが前記ローラ取付用ブラケットに回転可能に連結されることを特徴とする、請求項１に記載のモップ洗浄システム。
【請求項３】
前記ローラは、前記支持体および／または前記洗浄バケツに回転可能に連結されることを特徴とする、請求項１に記載のモップ洗浄システム。
【請求項４】
前記モップの回転により前記ローラを回転させる構造は、前記モップヘッドが前記支持体に置かれて洗浄している時、前記モップヘッドが前記ローラに接触することを特徴とする、請求項１に記載のモップ洗浄システム。
【請求項５】
前記モップの回転により前記ローラを回転させる構造は、伝動機構を含み、前記伝動機構が回転部材と、前記ローラに固設された従動歯車と、を含み、前記回転部材の一端に前記従動歯車と噛み合う駆動歯車が設けられ、前記回転部材の他端に前記モップヘッドと接続した後で円周方向に規制される接続構造が設けられ；前記回転部材は、前記支持体に回転可能に連結されることを特徴とする、請求項１に記載のモップ洗浄システム。
【請求項６】
前記ローラの軸方向は、前記支持体の軸方向に対して垂直に配置されることを特徴とする、請求項１または２に記載のモップ洗浄システム。
【請求項７】
前記ローラは、水汲み上げ用溝を備えることを特徴とする、請求項１に記載のモップ洗浄システム。
【請求項８】
前記モップヘッドは、基台と、ハウジングと、揺動部材と、を含み、前記揺動部材が前記基台に回転可能に連結され、前記揺動部材の張り出しにより前記ハウジングを動かせることができ、前記ハウジングが前記基台に対して相対移動可能に取り付け、前記モップ柄が前記基台に移動可能に連結されることを特徴とする、請求項１に記載のモップ洗浄システム。
【請求項９】
前記ハウジングは、上蓋と、底板と、を含み、前記上蓋が前記底板に互いに覆い被せられた後、内部に前記揺動部材を収容できる空きスペースを有し、前記揺動部材が前記空きスペースに設けられることを特徴とする、請求項８に記載のモップ洗浄システム。
【請求項１０】
前記上蓋に開口部が設けられ、前記基台は前記開口部に設けられ、上部ベースと、下部ベースと、を含み、前記上部ベースにスロットが設けられ、前記揺動部材が前記スロットにおいて移動可能で、かつ前記上部ベースに回転可能に連結され、前記上部ベースが前記下部ベースにねじ込んで結合されることを特徴とする、請求項９に記載のモップ洗浄システム。
【請求項１１】
前記洗浄バケツは、洗浄水域と、汚水域と、を含み、前記ローラが前記洗浄水域に配置され、自体の軸方向を回転軸として前記洗浄バケツに対して回転可能に設けられ；
洗浄時、前記支持体は、前記モップを支持し、前記モップヘッドの回転により前記ローラを回転させ、前記ローラの回転により前記洗浄水域の洗浄水を前記モップヘッドに運び、前記モップヘッドを洗った汚水が汚水域に流れ；脱水時、前記モップヘッドは、前記汚水域において前記支持体の支持によって回転して脱水する、
ことを特徴とする、請求項２に記載のモップ洗浄システム。
【請求項１２】
前記洗浄バケツは、洗浄水域と、汚水域とを含み、前記洗浄水域の上方に前記洗浄水域の大部分を遮蔽する遮蔽板が設けられ；前記ローラは、前記洗浄水域に配置され、自体の軸方向を回転軸として洗浄バケツに対して回転可能に設けられ；洗浄時、前記支持体は、前記モップを支持し、前記モップヘッドの回転により前記ローラを回転させ、前記ローラの回転により前記洗浄水域の洗浄水を前記モップヘッドに運び、前記モップヘッドを洗った汚水が前記汚水域に流れることを特徴とする、請求項２に記載のモップ洗浄システム。
【請求項１３】
回転ローラと、汲み上げベルトと、をさらに含み、前記回転ローラは、前記洗浄バケツに対して回転可能に設けられ、前記汲み上げベルトが前記ローラおよび前記回転ローラを外嵌することを特徴とする、請求項１に記載のモップ洗浄システム。
【請求項１４】
前記洗浄バケツ内に汚水を前記汚水域に隔離するための仕切板が設けられ、前記仕切板の延長線が前記ローラまたは前記汲み上げベルトと交わり、前記仕切板は前記ローラまたは前記汲み上げベルトからの汚水を受けることを特徴とする、請求項１２に記載のモップ洗浄システム。
【請求項１５】
洗浄水容器、前記洗浄水容器から導出するための吐水口と、前記吐水口の吐水を制御するための制水弁と、前記洗浄水容器内の水位が前記吐水口より高く、前記吐水口の吐水が前記モップの前記モップヘッドに流れることを特徴とする、請求項１または２に記載のモップ洗浄システム。
【発明の詳細な説明】
【技術分野】
【０００１】
本発明は、モップ洗浄システムに関し、特に、清潔用品の技術分野に関する。
【背景技術】
【０００２】
特許文献１は、中心軸によって昇降されるモップバケツであり、バケット本体と、中心軸と、軸スリーブと、を含み、前記中心軸が前記バケット本体の底部に設けられ、前記中心軸に前記軸スリーブの上下摺動用の組み合わせで摺動溝が設けられ、前記軸スリーブの外側ブッシュに軸受が連結され、前記軸受の外側ブッシュに脱水カゴが連結され、前記脱水カゴにモップと係合するためのプリズム状突起に設けられる。上記の技術的手段は、モップ洗浄の時、モップヘッドの回転により水を回転させ、操作が不適切な場合、バケツ内の水が外部に飛び散り、モップヘッドの自己クリーニングは水波に依存し、自己クリーニング効果が悪いため、洗浄効果が理想的でなかった。
【先行技術文献】
【特許文献】
【０００３】
【特許文献１】中国特許番号第ＣＮ２０３５７６４４４Ｕ号
【発明の概要】
【発明が解決しようとする課題】
【０００４】
本発明の目的は、従来技術に存在する上記不足を克服し、より優れた洗浄効果を有するモップ洗浄システムを提供することにある。
【課題を解決するための手段】
【０００５】
本発明は上記課題を解決するために、次の技術的手段を講じた。
モップ洗浄システムであって、洗浄バケツと、モップと、を含み、前記モップは、モップ柄と、モップヘッドと、を含み、モップ柄がモップヘッドに連結され、洗浄バケツ内にモップを支持する支持体が設けられ、前記洗浄バケツ内にローラが配置され、ローラが自体の軸方向を回転軸として回転可能に設けられ；洗浄時、前記モップヘッドの回転によりローラを回転させる。
【０００６】
さらに、ローラ取付用ブラケットをさらに含み、前記ローラ取付用ブラケットは支持体および／または洗浄バケツに設けられ、ローラがローラ取付用ブラケットに回転可能に連結される。
【０００７】
さらに、前記ローラは、支持体および／または洗浄バケツに回転可能に連結される。
【０００８】
さらに、前記モップの回転によりローラを回転させる構造は、前記モップヘッドが支持体に置かれて洗浄している時、モップヘッドがローラに接触するというものである。
【０００９】
さらに、前記モップの回転によりローラを回転させる構造は、伝動機構を含み、前記伝動機構が回転部材と、ローラに固設された従動歯車と、を含み、回転部材の一端に従動歯車と噛み合う駆動歯車が設けられ、回転部材の他端にモップヘッドと接続した後で円周方向に規制される接続部が設けられ；前記回転部材は、支持体に回転可能に連結される。
【００１０】
さらに、前記支持体は、洗浄バケツの底部に垂直になるよう配置され、ローラの軸方向が支持体の軸方向に対して垂直に配置される。
【００１１】
さらに、前記ローラは、水汲み上げ用溝を備える。
【００１２】
さらに、前記モップヘッドは、基台と、ハウジングと、揺動部材と、を含み、前記揺動部材が基台に回転可能に連結され、前記揺動部材の張り出しによりハウジングを動かせることができ、ハウジングが基台に対して相対移動可能に取り付け、モップ柄が基台に移動可能に連結される。
【００１３】
さらに、前記ハウジングは、上蓋と、底板と、を含み、前記上蓋が底板に互いに覆い被せられた後、内部に揺動部材を収容できる空きスペースを有し、前記揺動部材が前記空きスペースに設けられる。
【００１４】
さらに、前記上蓋に開口部が設けられ、基台は前記開口部に設けられ、上部ベースと、下部ベースと、を含み、前記上部ベースにスロットが設けられ、前記揺動部材が前記スロットにおいて移動可能で、かつ上部ベースに回転可能に連結され、前記上部ベースが下部ベースにねじ込んで結合される。
【００１５】
さらに、前記洗浄バケツは、洗浄水域と、汚水域と、を含み、前記ローラが洗浄水域に配置され、自体の軸方向を回転軸として洗浄バケツに対して回転可能に設けられ；洗浄時、前記支持体は、モップを支持し、モップヘッドの回転によりローラを回転させ、ローラの回転により洗浄水域の洗浄水をモップヘッドに運び、モップヘッドを洗った汚水が汚水域に流れ；脱水時、前記モップヘッドは、汚水域において支持体の支持によって回転して脱水する。
【００１６】
さらに、前記洗浄バケツは、洗浄水域と、汚水域とを含み、洗浄水域の上方に洗浄水域の大部分を遮蔽する遮蔽板が設けられ；前記ローラは、前記洗浄水域に配置され、自体の軸方向を回転軸として洗浄バケツに対して回転可能に設けられ；洗浄時、前記支持体は、モップを支持し、モップヘッドの回転によりローラを回転させ、ローラの回転により洗浄水域の洗浄水をモップヘッドに運び、モップヘッドを洗った汚水が汚水域に流れる。
【００１７】
さらに、回転ローラと、汲み上げベルトと、をさらに含み、前記回転ローラは、洗浄バケツに対して回転可能に設けられ、汲み上げベルトがローラおよび回転ローラを外嵌する。
【００１８】
さらに、前記洗浄バケツ内に汚水を汚水域に隔離するための仕切板が設けられ、仕切板の延長線がローラまたは汲み上げベルトと交わり、仕切板はローラまたは汲み上げベルトからの汚水を受ける。
【００１９】
さらに、洗浄水容器、洗浄水容器から導出するための吐水口と、吐水口の吐水を制御するための制水弁と、前記洗浄水容器内の水位が吐水口より高く、吐水口の吐水がモップのモップヘッドに流れる。
【発明の効果】
【００２０】
本発明は、従来技術に対比すると、以下の利点及び効果を有する。
１、本発明によってモップを洗浄する時、モップバケツ内の液面はモップヘッドの下方にあり、ローラをわずかに超えるだけでよく、ローラが回転すると、下方の水をモップヘッドに運ぶことで、モップヘッドを洗浄することができる。
２、ローラが回転している時、モップヘッドに対して相対的に運動し、使用時モップ柄を上下に押し引きするだけで拭布を洗うことができ、洗った後の汚水も洗浄水と混合することなく、加速後に脱水でき、モップヘッドを迅速かつ効果的に洗浄できる。
３、モップヘッドは、水汲み上げ用ローラを覆うため、モップヘッドを洗浄する際に、バケット本体から飛び散ることなく水をバケツ内に安定して制御できる。
４、本発明は、洗浄水容器の設置後、洗浄水容器の吐水がモップヘッドに流れ、モップヘッドを洗い流すことができ、吐水を止めた後、モップヘッドを回転し続けることで、遠心力で脱水できる。
５、本発明は、従来技術に対比すると、構造も単純であるがより優れた機能を有し、かつバケット本体の体積も減らすため、製造コストおよび物流コストも大幅に削減できる。
【図面の簡単な説明】
【００２１】
【図１】本発明の構造の立体分解図である。
【図２】本発明のローラの回転可能に取り付ける構造を示す模式図である。
【図３】本発明の別の実施形態に係るローラの回転可能に取り付ける構造を示す模式図である。
【図４】本発明の一実施形態に係るモップの回転によりローラを回転させる構造を示す模式図である。
【図５】本発明の別の実施形態に係るモップの回転によりローラを回転させる構造を示す模式図である。
【図６】図５に示される回転部材およびローラの伝動構造を示す模式図である。
【図７】本発明のローラの構造を示す模式図である。
【図８】本発明の増設された洗浄水容器の構造を示す模式図である。
【図９】本発明の洗浄バケツ分区域の構造を示す模式図である。
【図１０】本発明の洗浄状態にある構造を示す模式図である。
【図１１】本発明の脱水状態にある構造を示す模式図である。
【図１２】本発明のローラと回転ローラの軸心線は傾斜状態を呈した場合の構造を示す模式図である。
【図１３】本発明のモップの立体分解図である。
【図１４】本発明の別の実施形態に係るモップの立体分解図である。
【図１５】本発明の組み立てた状態のモップをローラと組み立てた場合の構造を示す模式図である。
【発明を実施するための形態】
【００２２】
以下、添付図面を参照しつつ本発明をさらに詳細に説明する。
【００２３】
図１〜図４に示すように、本発明のモップ洗浄システムは、洗浄バケツ２と、モップ１と、を含み、前記モップ１は、モップ柄１１と、モップヘッド１２と、を含み、モップ柄１１がモップヘッド１２に連結され、洗浄バケツ２内にモップ１を支持する支持体４が設けられ、前記洗浄バケツ２内にローラ３が配置され、ローラ３が自体の軸方向ａを回転軸として回転可能に設けられ；洗浄時、前記モップヘッド１２の回転によりローラ３を回転させる。
【００２４】
ローラ３が洗浄バケツ２内に回転可能に設けられる形態は、次のとおりである。一、ローラ３の一端は、支持体４に回転可能に連結され、ローラ３の他端が洗浄バケツ２の内壁に回転可能に連結され；二、ローラ３の両端は、ローラ取付用ブラケット６に回転可能に連結され；ローラ取付用ブラケット６は、洗浄バケツ２に連結され、ローラ取付用ブラケット６と洗浄バケツ２との連結がローラ取付用ブラケット６と洗浄バケツ２の底部との固結と、ローラ取付用ブラケット６と支持体４との連結を含み、ローラ取付用ブラケット６によって支持される。本発明の前記モップ１は、互に嵌め合われたモップ柄を直線的に上下に動かすことにより、モップヘッド１２を回転させることができる手動モップと、モータによりモップヘッド１２の回転を駆動する電動モップと、を含む。
【００２５】
図５、図６に示すように、本発明の前記モップ１の回転により、ローラ３を回転させる別の実施形態は、伝動機構を含み、前記伝動機構が回転部材５と、ローラ３に固設された従動歯車３３３と、を含み、回転部材５の一端に従動歯車３３３と噛み合う駆動歯車５１が設けられ、回転部材５の他端にモップヘッド１２と接続した後で円周方向に規制される接続構造が設けられ；前記回転部材５は、中心軸７を通じて洗浄バケツ２内の支持体に回転可能に連結される。
【００２６】
好ましくは、前記従動歯車３３３、駆動歯車５１は、いずれも傘歯車であるか、前記従動歯車３３３および駆動歯車５１の一方は端面から成る歯であり、他方が直歯である。歯車を使用して伝動し、伝動効率が高くなり、洗浄効果および効率がより顕著になる。
【００２７】
本発明の実施時、洗浄バケツ２の水位がローラ３にちょうど接触することができ、ローラ３の回転は、水をモップヘッド１２に運んでモップヘッド１２を徹底的に洗浄できる。
【００２８】
本発明の前記連結構造は、チャンバーと、チャンバーに嵌め込まれることができる突起と、を含み、前記突起の外径が非円形で、チャンバーの空洞部も非円形であり、突起がチャンバーに嵌め込まれた後、円周方向に規制される。非円形構造は、三角形、四角形、六角形等が挙げられる。
【００２９】
好ましくは、本発明の前記支持体４は、洗浄バケツ２の底部に垂直になるよう配置され、ローラ３の軸方向ａが支持体４の軸方向ｂに対して垂直に配置される。
【００３０】
図７に示すように、前記ローラ３は、水汲み上げ用溝３０を備え、好ましくは、水汲み上げ用溝３０開口部の中心点から水汲み上げ用溝の底部まで繋がる線ｃと中心点から回転方向に延びる接線ｄが形成される交角αは、鋭角を成す。水汲み上げ用溝３０の開口部が回転方向と同じ方向に向いているため、ローラ３は回転方向に回転している際、多くの水量をモップヘッド１２に運ぶことで、迅速かつ効果的な洗浄を実現できる。
【００３１】
好ましくは、前記ローラ３には凸部または櫛歯が設けられる。前記凸部または櫛歯は、モップヘッド１２上のごみを効果的に除去できる。
【００３２】
好ましくは、前記凸部または櫛歯は、直線状に配列され、凸部または櫛歯の配列線がローラ３の軸方向ａ線に平行である。
【００３３】
好ましくは、前記従動歯車３３３、駆動歯車５１は、いずれも傘歯車であるか、前記従動歯車３３３および駆動歯車５１の一方は端面から成る歯であり、他方が直歯である。歯車を使用して伝動し、伝動効率が高くなり、洗浄効果および効率がより顕著になる。
【００３４】
本発明において前記支持体４の昇降の技術的手段は、従来技術であり、本発明が製品設計を最適化するため、その技術的手段を本発明に適用する。
【００３５】
本発明は、図１３及び図１４に示すように、上記昇降支持体としてモップを採用できる。本発明の前記モップヘッド１２は、基台１１１と、ハウジング１１２と、揺動部材１１３と、を含み、前記揺動部材１１３が基台１１１に回転可能に連結され、かつ前記揺動部材１１３がハウジング１１２に連結または支持され、高速回転時、揺動部材１１３が張り出すと、ハウジング１１２を上昇させることができる。
【００３６】
前記ハウジング１１２内部には、揺動部材１１３を収容できる空きスペースを有し、基台１１１がハウジング１１２の中央部に設けられ、ハウジング１１２が上蓋１１２１を含み、上蓋１１２１に開口部１１２１０が設けられ、基台１１１が前記開口部１１２１０に設けられ、揺動部材１１３の一端が基台１１１に回転可能に連結され、揺動部材１１３の他端が空きスペースに設けられる。空きスペースが比較的低く、空きスペースの高さが０．５〜２ｃｍであり、揺動部材１１３の半径方向の長さが空きスペースの高さより明らかに大きいため、揺動部材１１３のストロークも空きスペースの高さの制限を受ける。したがって、ハウジング１１２および基台１１１は、揺動部材１１３を通じて移動ストロークの制限を実現し、両者が組み付けた後、物理的空間上に分離せず、同時に相対的に移動できる。ハウジング１１２と基台１１１が相対的に移動するように取り付ける形態は、基台１１１の下方が大きく、基台１１１の一部が上蓋１１２１の開口部１１２１０を通り抜けることができ、それ以外の部分が大きいため、過開口部１１２１０を通り抜けることができない場合、両者が物理的空間上で分離しないが、相対的に移動できる。
【００３７】
前記可モップ柄１１と基台１１１は、フレキシブル継手を介して移動可能に連結される。使用者は、使用時、適切な角度に回転することができる。
【００３８】
図１３および図１５を参照すると、前記洗浄バケツ２内にローラ３、支持体４が設けられ、支持体４の一端は、バケツの底部に固結され、ローラ３が自体の軸方向を回転軸として回転可能に設けられ；洗浄する時、バケツ内の水位がローラ３に丁度接触し、前記モップヘッド１２が支持体４に置かれ、モップヘッド１２の低速回転時、拭布１４がローラ３を回転させ、ローラ３の回転により水を拭布１４に運び、同時にローラ３と拭布１４が相対的に回転することで、拭布１４を効果的に洗浄でき；モップヘッド１２の高速回転時、揺動部材１１３は遠心力によりハウジング１１２を上に移動させ、拭布１４がハウジング１１２の下方に付着するため、拭布１４もハウジング１１２に追従して上に移動することで、拭布１４をローラ３から分離させ、ローラが拭布１４の駆動がなく回転することができず、水が拭布１４に運ばれず、高速回転時に水面から離れ、遠心力による脱水を実現できる。
【００３９】
前記ハウジング１１２は、上蓋１１２１と、底板１１２２と、を含み、前記上蓋１１２１が底板１１２２に互いに覆い被せられた後、内部に揺動部材１１３を収容できる空きスペースを有し、前記揺動部材１１３が前記空きスペースに設けられる。揺動部材１１３は、上蓋１１２１と底板１１２２との間に充填され、高さ空間を圧縮し、モップヘッド１２をより薄くすることができる。
【００４０】
前記上蓋１１２１に開口部１１２１０が設けられ、基台１１１は前記開口部１１２１０Bに設けられ、上部ベース１１１１と、下部ベース１１１２と、を含み、前記上部ベース１１１１にスロット１１１１０が設けられ、前記揺動部材１１３が前記スロット１１１１０において移動可能で、かつ上部ベース１１１１に回転可能に連結され、前記上部ベース１１１１が下部ベース１１１２にねじ込んで結合される。上部ベース１１１１と下部ベース１１１２のねじ込みを通じて、揺動部材１１３を取り付けることができ、取付が便利かつ迅速である。
【００４１】
本発明の前記下部ベース１１１２には、支持体４に対応して配置された凹部が設けられる。迅速にモップヘッド１２と洗浄バケツの対応を実現できる。
【００４２】
図１３を参照すると、本発明は、フレキシブル継手をさらに含み、前記フレキシブル継手が上部継手３１と、下部継手３２と、カバー３３と、を含み、上部継手３１が突子と、突子に対して外方に張り出す凸縁と、を含み、前記上部継手３１が下部継手３２に回転可能に連結され、前記カバー３３に凸縁を邪魔するが突子が通り抜けるための開口部１１２１０が設けられ、前記カバー３３は上部継手３１を上部ベース１１１１に覆い被る。
【００４３】
前記空きスペースは、上蓋１１２１から隆起して形成され、空きスペースと空きスペースとのが隔離される。揺動部材１１３もこれにより隔開され、分離帯がその移動空間を制限し、円周方向の回転を防止する。
【００４４】
図１４に示すように、本発明の前記モップ柄１１は、モップヘッド１２に移動可能に連結される別の実施形態は、自在継手１４をさらに含み、前記基台１１１、モップ柄１１が各々自在継手１４に回転可能に連結され、基台１１１が自在継手１４に回転可能に連結される軸線とモップ柄１１が自在継手１４に回転可能に連結される軸線とが十字に交差する。従来モップ柄１１が下部パイプを押し下げる際に垂直である必要があり、モップ柄１１が傾けると、回転駆動が困難になり、本発明に自在継手１４を設けた後、傾斜方向でも下部パイプを駆動でき、操作のために多くの便利性を提供する。
【００４５】
モップヘッド洗浄の効果を高めるため、毎回の洗浄は清浄水を使用できる。図８に示すように、本発明は、洗浄水容器８、洗浄水容器８から導出するための吐水口８０と、吐水口８０の吐水を制御するための制水弁８１と、前記洗浄水容器８内の水位が吐水口８０より高く、吐水口８０の吐水がモップ１のモップヘッド１２に流れる。モップヘッド１２を洗浄する時、制水弁８１を開き、吐水口８０を経由して流出した清浄水でモップヘッド１２を洗い流し；水切り時、制水弁８１を閉め、モップヘッド１２を回転すると脱水を実現できる。
【００４６】
モップヘッド１２の回転時の遠心力で振り出した水の飛び散り問題を解決するため、本発明の前記回転体１３が洗浄バケツ２を覆い被る。
【００４７】
図９に示すように、本発明の前記洗浄バケツ２は、洗浄水域２００と、汚水域２０１と、を含み、洗浄水域２００に清浄水を格納し、汚水域２０１がモップ１洗浄後の汚水を収集し；前記ローラ３は、洗浄水域２００に配置され、自体の軸方向を回転軸として洗浄バケツに対して回転可能に設けられ；洗浄時、前記支持体４は、モップ１を支持し、モップヘッド１２の回転によりローラ３を回転させ、洗浄水域２００の清浄水の水面がローラ３に接触する。ローラ３の回転により洗浄水域２００の洗浄水をモップヘッド１２に運び、ローラ３は洗浄水域２００内に設けられ、かつ汚水域２０１の近傍に配置され、好ましくは、ローラ３は洗浄水域２００と汚水域２０１の境界線に設けられ、モップヘッド１２を洗った後の汚水が慣性力により汚水域２０１に流れ；脱水時、前記モップヘッド１２が汚水域２０１において支持体に支えられて回転して脱水され、遠心力で脱水された後の汚水を汚水域２０１に収集される。
【００４８】
図１０および図１１を参照すると、本発明の前記洗浄バケツ２は、洗浄水域２００と、汚水域２０１と、を含み、一般に洗浄水域２００と汚水域２０１が分離され、前記洗浄水域２００の上方に洗浄水域２００の大部分を遮蔽する遮蔽板２０２が設けられ；遮蔽板２０２は、モップヘッド１２から落下する汚水を遮蔽し、前記ローラ３が洗浄水域２００に設けられ、ローラ３は、自体の軸方向を回転軸として洗浄バケツ２に対して回転可能に設けられ；好ましくは、ローラ３の回転軸の延長線が支持体４と交わる。
【００４９】
洗浄時、洗浄水域２００に清浄水を注入し、清浄水の水面はローラ３に接触し、前記支持体４がモップ１を支持し、モップヘッド１２の回転によりローラ３を回転させ、ローラ３の回転により洗浄水域２００の洗浄水をモップヘッド１２に運び、モップヘッド１２が回転すると、汚水が遠心力によって振り出され、遮蔽板２０２が洗浄水域２００を遮蔽するため、汚水が汚水域２０１に流れ、ローラ３が回転すると、ローラ３に運ばれる水も慣性力により汚水域２０１に流れるため、モップヘッド１２を洗った後の汚水が汚水域２０１に流れ、したがって洗った後洗浄水と汚水の分離を実現する。
【００５０】
本発明に基づいて、回転ローラ２４と、汲み上げベルト２５と、をさらに含み、前記回転ローラ２４は洗浄バケツ２に対して回転可能に設けられ、汲み上げベルト２５がローラ３および回転ローラ２４を外嵌する。洗浄水域２００の水位は、深さを有し、汲み上げベルト２５を延長部として設け、底部の水をモップヘッド１２に運ぶことを実現する。
【００５１】
図１２に示すように、本発明の前記洗浄バケツ２内に汚水を汚水域２０１に隔離するための仕切板２６が設けられ、仕切板２６の延長線がローラ３または汲み上げベルト２５と交わり、仕切板２６はローラ３または汲み上げベルト２５からの汚水を受ける。上記構造において、ローラ３は、仕切板２６の汚水域２０１側に設けられ、重力により下落した汚水も汚水域２０１に落とすことができる。
【００５２】
本発明の前記ローラ３と回転ローラ２４の軸心線は、水平面に対して２０度の角度αをなす。傾斜角度の水吸い上げは、垂直角度より効率が高い。
【００５３】
本発明の前記ローラ３と回転ローラ２４の軸心線は、水平面に対して９０度の角度αをなす。垂直方向に配置すると、スペースを節約できる。
【００５４】
本明細書内で記載されている具体的実施例は、あくまでも本発明の技術内容を明らかにするものである。当業者であれば、本発明の具体的実施例に様々な修正又は補足を加え或いは類似した方式で置換することができ、かつかかる変更や修正が本発明の明細書内容から逸脱することがない場合、若しくは本願の特許請求の範囲で定義される範囲を超えない場合、本発明の保護範囲に網羅される。
【図１】
2020534889.tif 000003
【図２】
2020534889.tif 000004
【図３】
2020534889.tif 000005
【図４】
2020534889.tif 000006
【図５】
2020534889.tif 000007
【図６】
2020534889.tif 000008
【図７】
2020534889.tif 000009
【図８】
2020534889.tif 000010
【図９】
2020534889.tif 000011
【図１０】
2020534889.tif 000012
【図１１】
2020534889.tif 000013
【図１２】
2020534889.tif 000014
【図１３】
2020534889.tif 000015
【図１４】
2020534889.tif 000016
【図１５】
2020534889.tif 000017
【国際調査報告】
2020534889.tif 000018
2020534889.tif 000019
2020534889.tif 000020
2020534889.tif 000021